(57)【特許請求の範囲】
【請求項１】
内面に平坦な内面板を接合した波形パネルからなる二枚の型枠パネルを、下端をランナーで床面に上端をキャップで天井面に固定すると共に、セパレータで保持しつつ所定の間隔で配置してコンクリート打設空間を形成し、該空間内にコンクリートを打設して型枠パネルと一体化されたコンクリート壁を形成した後、コンクリート壁の外表面を構成する波形パネルの外表面に内装パネルを添着して室内の内装面を作出し、該内装パネルで区画されて筒状の空間となる波形パネルの凹溝を配線空間とするようにしたことを特徴とする建物のコンクリート壁の施工方法。
【請求項２】
凹溝と凸条を交互に形成した波形パネルの内面に平坦な内面板を接合した型枠パネルと、該型枠パネルの下端を受け入れるランナーと型枠パネルの上端を受け入れるキャップとからなる建物のコンクリート壁を施工するためのコンクリート型枠において、波形パネルに常時は閉塞され容易に開孔可能な挿通孔を所定のピッチで形成し、該挿通孔に整合して内面板に開孔を形成したことを特徴とするコンクリート型枠。
【請求項３】
波形パネルの凸条に所定のピッチで、内装板を定着するためのビスを螺入するスリットを形成したことを特徴とする請求項２に記載のコンクリート型枠。
【発明の詳細な説明】
【０００１】
【発明の属する分野】
この発明は、建物の内壁、外壁を構成するコンクリート壁の施工方法及びコンクリート型枠に関する。
【０００２】
【従来の技術】
従来、建物のコンクリート壁面の構築は、組まれた鉄筋の周囲をコンクリート型枠で囲い、型枠内にコンクリートを打設して構築している。コンクリート型枠は、通常ベニヤ板或いは金属板で形成され、コンクリート壁面構築後取り外して再使用している。しかしながら、コンクリート型枠の構築並びに取外しは相当の手間を要し、コスト上昇の一因となっている。土中に埋設されるコンクリート基礎壁の場合、金属パネルで形成されたコンクリート型枠を取り外すことなくコンクリート基礎壁と共に土中に埋設する工法が提案され実用化されているが、空間に露出する建物のコンクリート壁にあっては、コンクリート壁に取り付けたままの型枠は従来実用化されていない。建物のコンクリート壁は、室内に面する内壁面に内装仕上げパネルを取り付けたり、或いは配線工事を施工する必要があるため、従来の壁面が型枠で被覆されている工法では、これらの工事が困難となるおそれがあった。又、コンクリート打設後、侵出してくる水分が型枠表面を汚して見栄えを損なうおそれもあった。
【０００３】
【発明が解決しようとする課題】
この発明は、仕上げパネルの取付や配線工事を支障なく施工可能とし、またコンクリート侵出液で表面が汚れるおそれのない、型枠を取外し不要としたコンクリート壁の施工方法及びコンクリート型枠を提供せんとするものである。
【０００４】
【課題を解決するための手段】
上記課題を解決するためにこの発明が採った手段は、内面に平坦な内面板を接合した波形パネルからなる二枚の型枠パネルを、下端をランナーで床面に上端をキャップで天井面に固定すると共に、セパレータで保持しつつ所定の間隔で配置してコンクリート打設空間を形成し、該空間内にコンクリートを打設して型枠パネルと一体化されたコンクリート壁を形成した後、コンクリート壁の外表面を構成する波形パネルの外表面に内装パネルを添着して室内の内装面を作出し、該内装パネルで区画されて筒状の空間となる波形パネルの凹溝を配線空間とするようにしたことを特徴とする。
【０００５】
凹溝と凸条を交互に形成した波形パネルの内面に平坦な内面板を接合した型枠パネルと、該型枠パネルの下端を受け入れるランナーと型枠パネルの上端を受け入れるキャップとからなる建物のコンクリート壁を施工するためのコンクリート型枠において、波形パネルに常時は閉塞され容易に開孔可能な挿通孔を所定のピッチで形成し、該挿通孔に整合して内面板に開孔を形成したことを特徴とする。
【０００７】
波形パネルの凸条に所定のピッチで、内装板を定着するためのビスを螺入するスリットを形成したことを特徴とする。
【０００８】
【発明の実施の形態】
この発明の好ましい実施の形態を、以下に詳細に説明する。この発明は、凹凸の溝を縦方向に形成して波形とした波形パネルの内面に平坦な内面板を接合した型枠パネルによってコンクリート打設空間を作出し、該空間内にコンクリートを打設してコンクリートの表面を型枠パネルで一体的に被覆した建物のコンクリート壁を構築し、該コンクリート壁の表面をなす型枠パネルの外表面に内装パネルを定着すると共に、該内装パネルによって外面を区画・限定された型枠パネルの縦方向に延びる凹溝を配線スペースとした建物のコンクリート壁施工方法及びこの工法に適用する前記型枠パネルを特徴とする。型枠パネルは、建物の階層高さに相当する長さを有する波形パネルと該波形パネルの内面に接合される平坦な内面板からなり、波形パネルと内面板の下端には断面上向きコ字状のランナーが、上端には下向きコ字状のキャップがそれぞれ装着され、ランナー及びキャップを建物の床及び天井壁に定着して型枠パネルを所定の位置に固定する。型枠パネルの上端に装着されるキャップは、型枠パネルと天井壁との隙間の大きさに合わせて上下動させて調整することが出来る。
【０００９】
波形パネルと内面板は例えば鋼板、亜鉛メッキ鋼板、アルミ板等の薄い金属板で形成される。内装パネルは、建物の室内壁面を構成する所望の材質、例えば石膏ボード、木製合板、布張りパネル等からなる。波形パネルの幅は、所要の幅に形成されており、室内空間の横幅に対応して波形の凹凸の溝を合わせて幅方向に連続し、接続金具で連結して室内の幅に対応させることができる。波形パネルの高さ方向の寸法は、室内空間の高さに対応して予め工場で所望の長さに形成されて工事現場に出荷される。ランナー及びキャップは、予め設定された長さを有する型材であって、波形パネルと内面板の接合体である型枠パネルの下端若しくは上端を受け入れることの出来る溝幅を有している。
【００１０】
型枠パネルでコンクリート打設空間を囲繞し作出した後、コンクリートを打設し、建物内部を仕切るコンクリート壁を構築する。型枠パネルは取り外すことなく構築されたコンクリート壁と一体化され、コンクリート壁の外表面を構成する。コンクリート壁に一体化された型枠パネルの外表面に、内装パネルを定着し建物の内面壁を作出する。波形パネルと内装パネルの接合により型枠パネルの外表面に縦方向に延びる筒状の空間が作出されるが、この空間を配線スペースとして利用し所望の配線工事を行うことが出来る。型枠パネルの内面に平坦な内面板を接合することにより、コンクリートの膨張による応力を内面板と波形パネルの接合体で負担し、型枠パネルの変形を防止することが可能となる。型枠パネルには、セパレータを挿通するための易開孔性の孔が等間隔に形成され、所望位置の孔を開放してセパレータを挿通し、型枠パネルを所要の間隔を置いて立設・保持し、コンクリート打設空間を作出する。コンクリート壁構築後、セパレータは型枠パネルと共にコンクリート壁内に一体化され残される。
【００１１】
【実施例】
図１〜５を参照して、この発明の好ましい一実施例を説明する。図において(１)は、この発明にかかる型枠パネルを示し、図３に示すように波形パネル(２)と平坦な内面板(３)の接合体からなり、下端には断面上向きコ字状のランナー(４)が、上端には断面下向きコ字状のキャップ(５)が装着される。波形パネル(２)は、縦方向に延びる断面コ字状の凹溝(６)と凸条(７)を交互に連続して波板とした薄い亜鉛メッキ鋼板からなり、建物の室内空間の高さに相当する長さと予め定められた所定の幅を有している。図示の実施例において、波形パネルの長さは２１００mm、幅は６００mmであり、板厚は０.４mmであるが、これに限られるものではない。内面板(３)は、波形パネルと同じ長さ、幅並びに板厚の亜鉛メッキ鋼板からなり、波形パネルの内面に溶接等の手段で接合され一体化される。ランナー(４)並びにキャップ(５)は、長さ２０００mm、高さ７０mmの寸法を有し波形パネル(２)と内面板(３)の接合体を受け入れて保持する。ランナーとキャップには所定の間隔で、切り起こし自在な固定片(８)が形成されており、固定片(８)を建物の床面(９)或いは天井面(10)にビス(11)等で固定して型枠パネル(１)を所定の位置に取り付ける。
【００１２】
図４に示すように、内面板(３)を互いに対向させつつ、二枚の型枠パネル(１)をコンクリート壁(12)の厚みに相応する間隔を置いて配置し、二枚の型枠パネルの間に架け渡されるセパレータ(13)が挿通され、座金(14)とナット(17)で保持される。このセパレータ(13)を挿通するために、常時は閉鎖されており使用時に容易に開孔することの出来る挿通孔(15)が、所定のピッチで波形パネルに形成され、該易開孔性の挿通孔に整合して内面板には開孔が形成される。セパレータ(13)の外端部にはパイプ保持フランジ(16)がナット(17)で固着され、該パイプ保持フランジ(16)により補強パイプ(18)を水平方向に保持し、型枠パネル(１)の変形を防止している。このようにして型枠パネル(１)を設置した後、型枠パネル(１)で区画されるコンクリート打設空間にコンクリートを打設し、養生した後ナット(17)を螺脱してパイプ保持フランジ(16)及び補強パイプ(18)を取り外す。型枠パネル(１)とランナー(４)並びにキャップ(５)は、そのまま打設したコンクリート壁と一体化され残される。
【００１３】
その後、コンクリート壁と一体化されてコンクリート壁の一部として外表面を構成する型枠パネルの外表面に、図５に示すように内装パネル(19)をビス(20)で固着する。ビス(20)は、波形パネル(２)のと凸条(７)の所定のピッチで形成されたスリット(21)に螺入される。波形パネル(２)の外表面に内装パネル(19)を添着することにより、波形パネル(２)の凹溝(６)は、筒状の空間に区画され配線工事用の配線路として利用することが可能となる。図６，７は、型枠パネル(１)を幅方向に連結するための構造の一例を示しており、図６は型枠パネル(１)の端部を互いに突き合わせ、突き合わせ部に断面Ｈ型の連結部材(22)を打ち込んで結合するようにしたものであり、図７は波形パネル(２)の凹溝(６)と凸条(７)を重ね合わせて連結するようにしたものである。これらの連結構造は単に一例を示したに過ぎず、特に限定されるものではない。
【００１４】
【発明の効果】
この発明によれば、建物のコンクリート壁を効率よく、迅速に構築することが出来、コストの低下をもたらしうる。
【図面の簡単な説明】
【図１】この発明にかかるコンクリート壁の構築状態を示す断面斜視図
【図２】同縦断面図
【図３】型枠パネルの分解斜視図
【図４】型枠パネルの取付状態を示す要部の断面斜視図
【図５】内装パネルの取付を示す要部の断面斜視図
【図６】型枠パネルの連結構造の一例を示す斜視図
【図７】型枠パネルの連結構造の他の例を示す斜視図
【符号の説明】
(１)型枠パネル
(２)波形パネル
(３)内面板
(４)ランナー
(５)キャップ
(６)凹溝
(７)凸条
(８)固定片
(９)床面
(10)天井面
(11)ビス
(12)コンクリート壁
(13)セパレータ
(14)座金
(15)挿入孔
(16)パイプ保持フランジ
(17)ナット
(18)補強パイプ
(19)内装パネル
(20)ビス
(21)スリット
(22)Ｈ型の連結部材
【図１】
0003848873.tif 000002
【図２】
0003848873.tif 000003
【図３】
0003848873.tif 000004
【図４】
0003848873.tif 000005
【図５】
0003848873.tif 000006
【図６】
0003848873.tif 000007
【図７】
0003848873.tif 000008